(57)【要約】【課題】チャネル切り替えに際してユーザに故障と誤解させずに安心感をもたらす、ディジタルテレビ放送を受信する携帯端末装置を提供する。【解決手段】本発明の携帯端末装置は、テレビ放送を受信するＴＶ受信部１０１およびＴＶ処理部１０２と、受信チャネルの切り換え開始と切り換え終了とを検出して、切り換え開始から切り換え終了までの間に、切り換え中であるメッセージｄ５をユーザに通知するための制御部１０９とを備え、制御部１０９はさらに、チャネルに関する情報ｄ７、ｄ８と、チャネル切り換えの進行状態を示す情報ｄ７、ｄ８をディスプレイに表示する。【選択図】図３Ｃ
2006050553.tif 000002
【特許請求の範囲】
【請求項１】
テレビ放送を受信する受信手段と、
前記受信手段の出力が確定するまでの不確定期間を検出する検出手段と、
前記不確定期間においてその旨をユーザに通知する通知手段と
を備えることを特徴とする受信装置。
【請求項２】
前記検出手段は、受信チャネルの切り換え開始から受信手段の出力が確定するまでの切り換え期間と、前記受信手段の起動から出力が確定するまでの立ち上げ期間とのうち少なくとも一方を不確定期間として検出する
ことを特徴とする請求項１記載の受信装置。
【請求項３】
前記通知手段は、音声出力、発光、振動、ディスプレイ表示のうちの少なくとも１つによって切り換え期間または立ち上げ期間である旨を通知する
ことを特徴とする請求項１または２記載の受信装置。
【請求項４】
前記通知手段は、チャネルに関する情報をディスプレイに表示する
ことを特徴とする請求項３記載の受信装置。
【請求項５】
前記チャネルに関する情報は、切り換え前のチャネル番号、切り換え後のチャネル番号、切り換え前のチャネル名、切り換え後のチャネル名、立ち上げ中のチャネル番号、立ち上げ中のチャネル名のうち少なくとも１つを含む
ことを特徴とする請求項４記載の受信装置。
【請求項６】
前記通知手段は、チャネル切り換え前の受信画像を静止画としてディスプレイに表示する
ことを特徴とする請求項２記載の受信装置。
【請求項７】
前記通知手段は、特定の画像をディスプレイに表示する
ことを特徴とする請求項１または２記載の受信装置。
【請求項８】
前記通知手段は、前記切り換え期間または前記立ち上げ期間の進行状態を示す情報をディスプレイに表示する
ことを特徴とする請求項１または２記載の受信装置。
【請求項９】
前記進行状態を示す情報は、進行状態に応じて変化するグラフィカルバー、進行状態に応じて変化するマーク、進行状態に応じてカウントダウンされる数字のうちの何れかである
ことを特徴とする請求項８記載の受信装置。
【請求項１０】
テレビ放送を受信する受信部を有する受信装置におけ受信方法であって、
前記受信部の出力が確定するまでの不確定期間を検出する検出ステップと、
前記不確定期間においてその旨をユーザに通知する通知ステップと
を有することを特徴とする受信方法。
【請求項１１】
テレビ放送を受信する受信部を有する受信装置内のコンピュータに実行されるプログラムであって、
前記受信手段の出力が確定するまでの不確定期間を検出する検出ステップと、
前記不確定期間においてその旨をユーザに通知する通知ステップと
をコンピュータに実行させることを特徴とするプログラム。
【請求項１２】
テレビ放送を受信する受信手段と、
前記受信手段の出力が確定するまでの不確定期間を検出する検出手段と、
前記不確定期間においてその旨をユーザに通知する通知手段と
を備えることを特徴とする半導体装置。
【発明の詳細な説明】
【技術分野】
【０００１】
本発明はディジタルテレビ放送を再生する受信装置に関し、特にテレビ放送の番組を再生する受信装置、その制御方法、プログラムおよび集積回路装置に関する。
【背景技術】
【０００２】
近年、携帯端末装置（例えば携帯電話機、携帯情報端末）は、装置の小型化や多機能化が進み、テレビ放送を受信して表示することができる機種が登場してきている。
例えば、特許文献１には、チャネル切り換え直後にテレビ放送番組の表示に重畳して、現在時刻、テレビ放送番組の開始時刻および終了時刻を表示するディジタルテレビ放送受信用ＡＶシステムを開示している。この重畳表示により、テレビ放送番組がどこまで進んでいるのかをユーザは容易に知ることを可能にしている。
【特許文献１】特開２００１−１５７１３１号公報
【発明の開示】
【発明が解決しようとする課題】
【０００３】
しかしながら、従来のディジタルテレビ放送を受信する携帯端末装置によれば、ユーザがチャネル切り換え操作をしてから実際に切り換え先チャネルのテレビ放送番組が表示されるまで最大で５秒程度かかる場合があり、その間ユーザに故障していると誤解させる可能性があるという問題がある。
【０００４】
この問題について図７を用いて説明する。図７は、ＭＰＥＧ−４ＡＶＣ規格に準拠するディジタルテレビ放送に含まれるピクチャのタイプを示す模式図である。同図において、ＣＨＡは切り換え前チャネル、ＣＨＢは切り換え後チャネルを示す。Ｉはピクチャ内予測符号化されたＩピクチャ（intra predictive picture）を示す。Ｐは１枚の参照ピクチャを用いてピクチャ間予測符号化されたＰピクチャ（inter predictive picture）を示す。Ｂは２枚の参照ピクチャを用いてピクチャ間予測符号化されたＢピクチャ（inter bi-predictive picture）を示す。ＩＤＲは、Ｉピクチャのうち、デコーダ内の参照ピクチャメ
モリに記憶された全ての参照ピクチャを無効化してよいことを示すＩＤＲピクチャ（instantaneous decoding refresh picture）を示す。このＩＤＲピクチャは、参照ピクチャなしで単独でデコードされることが可能なピクチャである。
【０００５】
同図において時刻ｔ０は、ユーザがＣＨＡからＣＨＢに切り換える操作をした時刻である。時刻ｔ１は、時刻ｔ０以降にＣＨＢのディジタルテレビ放送に含まれる最初のＩＤＲピクチャが現れる時刻である。携帯端末装置は、時刻ｔ１のＩＤＲピクチャからデコードを開始することになる。ディジタルテレビ放送においてＩＤＲピクチャの間隔は最大で５秒である。このことから、ユーザがＣＨＡからＣＨＢにチャネル切り換え操作をしてから実際にＣＨＢのテレビ放送番組が表示されるまで最大で５秒程度かかる場合がある。これに対して、アナログテレビ放送では、ユーザにとって瞬時にチャネル切り換えできる。アナログテレビ放送に馴染んでいるユーザにとっては、ディジタルテレビ放送での待ち時間を予想できないので、故障していると誤解する可能性がある。
【０００６】
本発明は、チャネル切り換えに際してユーザに故障と誤解させずに安心感をもたらす、ディジタルテレビ放送を受信する受信装置を提供することを目的とする。
【課題を解決するための手段】
【０００７】
本発明の受信装置は、テレビ放送を受信する受信手段と、受信手段の出力が確定するまでの不確定期間を検出する検出手段と、前記不確定期間においてその旨をユーザに通知する通知手段とを備える。
ここで、前記検出手段は、受信チャネルの切り換え開始から受信手段の出力が確定するまでの切り換え期間と、前記受信手段の起動から出力が確定するまでの立ち上げ期間とのうち少なくとも一方を不確定期間として検出するようにしてもよい。
【０００８】
この構成によれば、チャネル切り換えに際してユーザに故障と誤解されることを防止することができる。
ここで、前記通知手段は、音声出力、発光、振動、ディスプレイ表示のうちの少なくとも１つによって切り換え期間または立ち上げ期間である旨を通知するようにしてもよい。
【０００９】
ここで、前記通知手段は、チャネルに関する情報をディスプレイに表示するようにしてもよい。前記チャネルに関する情報は、切り換え前のチャネル番号、切り換え後のチャネル番号、切り換え前のチャネル名、切り換え後のチャネル名、立ち上げ中のチャネル番号、立ち上げ中のチャネル名のうち少なくとも１つを含むようにしてもよい。
【００１０】
この構成によれば、切り換え期間中に切り換え前後のチャネル番号またはチャネル名を表示し、または立ち上げ期間中に立ち上げ中のチャネル番号またはチャネル名を表示することによりユーザに安心感をもたらすことができる。
ここで、前記通知手段は、チャネル切り換え前の受信画像を静止画としてディスプレイに表示するようにしてもよい。あるいは、前記通知手段は、特定の画像をディスプレイに表示するようにしてもよい。
【００１１】
ここで、前記通知手段は、前記切り換え期間または前記立ち上げ期間の進行状態を示す情報をディスプレイに表示するようにしてもよい。前記進行状態を示す情報は、進行状態に応じて変化するグラフィカルバー、進行状態に応じて変化するマーク、進行状態に応じてカウントダウンされる数字のうちの何れかとしてもよい。
【００１２】
この構成によれば、前記切り換え期間前記立ち上げ期間中に残り時間を予測可能にすることにより、ユーザに安心感をもたらすことができる。
【００１３】
また、本発明の受信方法、プログラム、半導体装置についても上記と同様の手段を備える。
【発明の効果】
【００１４】
本発明の受信装置によれば、チャネル切り換え期間やテレビ受信開始時の立ち上げ期間においてユーザに故障と誤解させることを防止することができる。さらに、切り換え期間中または立ち上げ期間中に残り時間を予測可能にすることにより、ユーザに安心感をもたらすことができる。また、切り換え期間中に切り換え前後のチャネル番号またはチャネル名を表示し、または立ち上げ期間にチャネル番号やチャネル名を表示することによりユーザに安心感をもたらすことができる。
【発明を実施するための最良の形態】
【００１５】
図１は、本発明の実施の形態における受信装置の構成を示すブロック図である。本実施の形態では受信装置が携帯端末装置である場合について説明する。同図のように携帯端末装置は、ＴＶ受信部１０１、ＴＶ処理部１０２、無線部１０３、無線処理部１０４、表示制御部１０５、表示部１０６、音声再生部１０７、操作部１０８、制御部１０９を備え、ディジタルテレビ放送の受信チャネルの切り換え期間中に切り換え中である旨をユーザに通知するように構成されている。
【００１６】
ＴＶ受信部１０１は、地上波ディジタルテレビ放送の１セグメントサービスに対応するテレビチューナであり、１セグメントのトランスポートストリーム（以下ＴＳと呼ぶ）を受信する。地上ディジタルテレビ放送１チャンネルの帯域を１３セグメントに分割し、そのうち１２セグメントを家庭内のテレビ受信機向けサービスに、１セグメントを携帯端末装置向けサービスに割り当てている。１セグメントサービスとは、他の１２セグメントと同内容のコンテンツを１セグメントで放送するサービスである。
【００１７】
ＴＶ処理部１０２は、ＴＳデコーダおよびＭＰＥＧデコーダであり、ＴＶ受信部１０１によって受信された１セグメントのＴＳをデコードする。図２に、ＴＶ処理部１０２の構成を示すブロックを示す。ＴＶ処理部１０２は、システムデコーダ２０１、ストリームバッファ２０２、ストリームバッファ２０３、ビデオデコーダ２０４、オーディオデコーダ２０５、ビデオバッファ２０６、オーディオバッファ２０７、出力同期部２０８を備える。ＴＶ受信部１０１から出力されるＴＳ（１セグメント）は、システムデコーダ２０１によりビデオストリームとオーディオストリームに分離される。ビデオストリームはストリームバッファ２０２に一時的に保持され、ビデオデコーダ２０４によってデコードされる。図７に示したようにＴＶ受信部１０１が受信チャネルをチャネルＡからチャネルＢに切り換えてからＩＤＲピクチャを受信するまで最大５秒かかる。ビデオデコーダ２０４は、ストリームバッファ２０２に保持されたビデオストリームから最初に現れるＩＤＲピクチャを取り出して、デコードを開始し、デコード後のピクチャをビデオバッファ２０６に格納する。一方、システムデコーダ２０１によって分離されたオーディオストリームは、ストリームバッファ２０３に一時的に保持された後オーディオデコーダ２０５によってデコードされ、デコード後のオーディオデータをオーディオバッファ２０７に格納する。出力同期部２０８は、ビデオバッファ２０６のビデオデータ(ピクチャ)と、オーディオバッファ２０７のオーディオデータの同期をとって表示制御部１０５に出力する。
【００１８】
無線部１０３は、音声通話およびデータ通信のための高周波変複調を行う。
無線処理部１０４は、無線部１０３に対してベースバンド信号の変復調を行う。
表示制御部１０５は、ＴＶ処理部１０２から出力されるビデオデータ、オーディオデータを表示部１０６、音声出力部１０７に出力する制御を行う。また、表示制御部１０５は、制御部１２２からの指示に従って、受信チャネルの切り換え期間中に切り換え中である旨をユーザに通知するための表示、音声出力、発光、振動を制御する。
【００１９】
表示部１０６は、液晶表示パネルなどのディスプレイである。
音声出力部１０７は、スピーカ、イヤホン、ヘッドフォン等により音声信号の再生を行う。
操作部１０８は、テンキー、十字キー等の操作ボタンを有し、ユーザ操作を受け付ける。
【００２０】
制御部１０９は、本携帯端末装置全体を制御する。特に、制御部１０９は、チャネル切り換えに際して、切り換え中である旨をユーザに通知する制御を行う。
図３Ａ〜図３Ｄは、切り換え中である旨をユーザに通知するための表示例を示す図である。図３Ａでは、ディスプレイｄ１中に「チャネル切り換え中です。数秒お待ち下さい」という文字列メッセージｄ２が表示されている。図３Ｂでは、ディスプレイｄ１中に、チャネル切り換え前の受信チャネルの最後の画像ｄ３の上に、「チャネル切り換え中です。」という文字列メッセージｄ４が重畳表示されている。図３Ｃでは、ディスプレイｄ１中に、「チャネル切り換え中です。」という文字列メッセージｄ５と、チャネル切り換えの進行状態に応じて変化するグラフィック（進度バー）ｄ６と、切り換え前のチャネル番号ｄ７と、切り換え後のチャネル番号ｄ８とが表示されている。図３Ｄでは、ディスプレイｄ１中に、「チャネル切り換え中です。」という文字列メッセージｄ９と、チャネル切り換えの進行状態に応じて変化するグラフィック（破線が実線に変化する矢線）ｄ１０と、切り換え前のチャネル名（ＡＡＡ ＴＶ）ｄ１１と、切り換え後のチャネル名（ＢＢＢ ＴＶ）ｄ１２とが表示されている。
【００２１】
図４Ａは、制御部１０９による切り換え制御処理を示すフローチャートである。同図のように、制御部１０９は、操作部１０８においてチャネル切り換え操作がなされたことを検知した場合（Ｓ３１）、ＴＶ受信部１０１およびＴＶ処理部１０２にチャネル切り換えを指示し（Ｓ３２）、図３Ａ〜図３Ｄに示したように、切り換え中である旨をユーザに通知するための通知処理を行う（Ｓ３３）。
【００２２】
図５は、ＴＶ受信部１０１およびＴＶ処理部１０２におけるチャネル切り換え処理を示すフローチャートである。同図のように、ＴＶ受信部１０１は、制御部１０９からチャネル切り換えの指示を受信すると（Ｓ４１）、切り換え先チャネルが含まれるＴＳの周波数と現在の受信周波数とが異なる場合は新たな周波数に受信周波数を切り換える（Ｓ４２）。ＴＶ処理部１０２は、ＴＳパケットをフィルタリングするためのＰＩＤ（program ID）を切り換え先チャネルのＰＩＤに変更し（Ｓ４３）、切り換え先チャネルのＴＳパケットの受信を開始する（Ｓ４４）。これにより、システムデコーダ２０１は、切り換え先チャネルに属するＴＳパケットをフィルタリングし、フィルタリングで得たＴＳパケットからビデオストリームとオーディオストリームを取り出し、ビデオストリームをストリームバッファ２０２に、オーディオストリームをストリームバッファ２０３に格納する。ビデオデコーダ２０４は、ストリームバッファ２０２に最初に受信されたＩＤＲピクチャがあるか否かを判定し（Ｓ４５）、最初のＩＤＲピクチャがあると判定されたときデコードを開始すると共にＩＤＲピクチャを受信した旨のＩＤＲピクチャ受信通知を制御部１０９に出力する（Ｓ４６）。
【００２３】
このようにユーザのチャネル切り換え操作から最初のＩＤＲピクチャが受信されるまでは、ユーザにとって瞬時ではなく、図７に示したように時間を要することが多い（例えば最大５秒）。
【００２４】
図６は、図３中の通知処理（Ｓ３３）の詳細を示すフローチャートである。同図のように、制御部１０９は、ビデオバッファ２０６中の切り換え前チャネルの最後のピクチャ画像を消去させずに保持させておき、出力同期部２０８に静止画として繰り返し出力させ、表示制御部１０５に静止画として表示させる（Ｓ５１）。これにより図３Ｂのような切り換え前の受信チャネルの最後の画像ｄ３が静止画として表示される。さらに、制御部１０９は、表示制御部１０５に対してメッセージを表示させる（Ｓ５２）。たとえば、表示制御部１０５は、図３Ａ〜３Ｄのように文字列メッセージｄ２、ｄ４、ｄ５またはｄ９を表示する。加えて、表示制御部１０５は、図３Ｃのように切り換え前のチャネル番号ｄ７、切り換え後のチャネル番号ｄ８、図３Ｄのように切り換え前のチャネル名ｄ１１、切り換え後のチャネル名ｄ１２を表示してもよい。
【００２５】
次いで、制御部１０９は、表示制御部１０５に対してチャネル切り換えの初期状態を示すグラフィックを表示させる（Ｓ５３）。たとえば、表示制御部１０５は、図３Ｃのようにグラフィック（進度バー）ｄ６において進度が０（つまり全部白抜き）の進度バーを表示し、あるいは、図３Ｄのようにグラフィック（矢線）ｄ１０においてにおいて進度が０（つまり全部破線）の矢線を表示する。さらに、制御部１０９は、ＴＶ処理部１０２からのＩＤＲピクチャ受信通知が入力されるまで、表示制御部１０５に対して進行状態を示すように上記グラフィック表示を更新するよう指示する（Ｓ５４、Ｓ５５）。これにより、表示制御部１０５は、例えば、進度バーの黒帯部分または矢線の実線部分を徐々に伸ばすように表示を更新する。このとき表示制御部１０５は、最初のＩＤＲピクチャが受信されるまでの最大時間かかって初期状態から最終状態に達するように連続的または段階的に更新する。
【００２６】
さらに、ＴＶ処理部１０２からのＩＤＲピクチャ受信通知が入力されたとき、表示制御部１０５は、表示制御部１０５に対してグラフィック表示を最終状態に更新するよう指示
する（Ｓ５６）。表示制御部１０５は、例えば１００ｍＳ〜数１００ｍＳの間、最終状態に更新したグラフィックスを表示する。これにより、進度バーが全部黒帯に、あるいは、矢線が全部実線に更新され、ユーザは切り換え処理が完了したことを認識することができる。この後、制御部１０９は表示制御部１０５に切り換え後の受信チャネルのテレビ放送番組を表示するように指示する。これにより、ユーザは切り換え後チャネルのテレビ放送番組を視聴することになる。
【００２７】
制御部１０９は、図４Ａに示したユーザのチャネル切り換え操作から、図６のＩＤＲピクチャ受信通知までの時間を、ほぼチャネル切り換え期間として検出している。正確には、チャネル切り換え期間は、チャネル切り換え操作からＩＤＲピクチャがデコードされて表示されるまでが切り換え期間である。ＴＶ処理部１０２では、ＩＤＲピクチャが受信されてからデコードおよび表示するまでに遅延時間が発生する。表示制御部１０５は、上記の最終状態の表示時間を遅延時間に一致させることが望ましい。
【００２８】
以上説明してきたように本実施の形態における携帯端末装置によれば、チャネル切り換えに際してユーザに故障と誤解させることを防止することができる。さらに、切り換え期間中に残り時間を予測可能にすることにより、ユーザに安心感をもたらすことができる。また、切り換え期間中に切り換え前後のチャネル番号またはチャネル名を表示することによりユーザに安心感をもたらすことができる。
【００２９】
なお、制御部１０９は、チャネル切り換え期間だけでなく、新たにテレビ放送を視聴するユーザ操作を受けてから実際に表示されるまでの受信立ち上げ期間中に、受信立ち上げ中期間である旨を通知するようにしてもよい。この場合の制御部１０９による制御動作を
図４Ｂに示す。図４Ｂは、ＴＶ受信部１０１を立ち上げるための受信開始制御処理を示すフローチャートである。同図のように、制御部１０９は、操作部１０８においてテレビ放送の受信開始操作がなされたことを検知した場合（Ｓ３１ａ）、ＴＶ受信部１０１およびＴＶ処理部１０２に受信開始を指示し（Ｓ３２ａ）、図３Ｅに示すような、受信立ち上げ期間中である旨をユーザに通知するための通知処理を行う（Ｓ３３ａ）。これにより、例えば、ユーザが待ちうけ状態で新たにテレビ放送を試聴する場合や、メール作成モードで新たにテレビ放送を受信する場合などに、ユーザに故障と誤解させることを防止することができ、ユーザに安心感をもたらすことができる。
【００３０】
また、チャネル切り換え期間である旨、または受信立ち上げ期間である旨の通知は、音声出力、ＬＥＤやバックライトの発光、バイブレータの振動うちの少なくとも１つであってもよい。
【００３１】
また、上記の通知は、チャネル切り換え期間、つまり、切り換え開始から切り換え終了までの間の少なくとも一部の期間になされていればよい。
なお、表示制御部１０５は、図３Ｃ、図３Ｄの進行状態表示の代わりに、数字のカウントダウン表示してもよいし、図３Ｃ、図３Ｄの進行状態表示の代わりに、切り換え後のチャネル番号またはチャネル名を点滅させてもよい。切り換え後のチャネル番号またはチャネル名を点滅させてもよい。また、図３Ｅの代わりに、図３Ｂから図３Ｄと同様の表示を行ってもよい。
【００３２】
また、表示制御部１０５は、切り換え前の最後のピクチャ画像をビデオバッファ２０６に保持させる代わり表示制御部１０５内のビデオＲＡＭに保持させて、切り換え期間中に表示するようにしてもよい。
【００３３】
さらに、表示制御部１０５は、切り換え前の最後のピクチャ画像の代わりに予め用意しておいた特定の画像を表示してもよい。特定の画像はディジタルテレビ放送から受信された画像であってもよい。この特定の画像は広告画像であってもよいし、ディジタルテレビ放送を受信するためのヘルプ画像やガイダンス画像であってもよい。また、特定の画像としてアイコンをディスプレイ中に表示してもよい。
【００３４】
また、ＴＶ受信部１０１およびＴＶ処理部１０２は、ＴＳ中の１セグメントを受信および再生する代わりに、ＴＳ中の１２セグメントを受信および再生してもよい。また、ＴＶ受信部１０１およびＴＶ処理部１０２は、地上波ディジタル放送の代わりに、衛星ディジタル放送を受信および再生してもよい。
【００３５】
さらに、図１、図２に示したブロック図の各機能ブロックは典型的には集積回路装置で
あるＬＳＩとして実現される。このＬＳＩは１チップ化されても良いし、複数チップ化されても良い。例えば、ビデオバッファ２０６などのメモリ以外の機能ブロックが１チップ化されていても良い。ここでは、ＬＳＩとしたが、集積度の違いにより、ＩＣ、システムＬＳＩ、スーパーＬＳＩ、ウルトラＬＳＩと呼称されることもある。
【００３６】
集積回路化の手法はＬＳＩに限るものではなく、専用回路又は汎用プロセサで実現してもよい。ＬＳＩ製造後に、プログラムすることが可能なＦＰＧＡ（Field Programmable Gate Array）や、ＬＳＩ内部の回路セルの接続や設定を再構成可能なリコンフィギュラブ
ル・プロセッサを利用しても良い。
【００３７】
さらには、半導体技術の進歩又は派生する別技術によりＬＳＩに置き換わる集積回路化の技術が登場すれば、当然、その技術を用いて機能ブロックの集積化を行ってもよい。バイオ技術の適応等が可能性としてありえる。
【００３８】
また、各機能ブロックのうち、データを格納するユニットだけ１チップ化せずに、本実施形態の記録媒体１１５のように別構成としても良い。
また、図１、図２に示したブロック図の各機能ブロックおよび図４Ａ、図４Ｂ〜図６に示したフローチャートにおいて、制御部１０９を含む中心的な部分はマイクロプロセッサおよびプログラムによって実現される。それゆえ、本発明をプログラムとして構成してもよい。
【産業上の利用可能性】
【００３９】
本発明は、ディジタルテレビ放送を受信する受信装置に適しており、例えば、テレビ受像機，ＳＴＢ（セットトップボックス）、テレビ付き携帯電話機、テレビ付きＰＤＡ（Personal digital assistant）、テレビ付き電子ブック装置、テレビ付きの電子辞書、テレビ付き携帯パソコン、テレビ付き携帯ＤＶＤ（Digital Versatile Disc）記録／再生装置などに適している。
【図面の簡単な説明】
【００４０】
【図１】実施の形態における携帯端末装置の構成を示すブロック図である。
【図２】テレビ処理部の構成を示すブロック図である。
【図３Ａ】切り換え通知の表示例を示す図である。
【図３Ｂ】切り換え通知の表示例を示す図である。
【図３Ｃ】切り換え通知の表示例を示す図である。
【図３Ｄ】切り換え通知の表示例を示す図である。
【図３Ｅ】受信開始通知の表示例を示す図である。
【図４Ａ】切り換え制御処理を示すフローチャートである。
【図４Ｂ】受信開始制御処理を示すフローチャートである。
【図５】チャネル切り換え処理を示すフローチャートである。
【図６】通知処理を示すフローチャートである。
【図７】チャネル切り換えとＩＤＲピクチャの関係を示す図である。
【符号の説明】
【００４１】
１０１  ＴＶ受信部１０１
１０２  ＴＶ処理部１０２
１０３  無線部１０３
１０４  無線処理部１０４
１０５  表示制御部１０５
１０６  表示部１０６
１０７  音声出力部１０７
１０８  操作部１０８
１０９  制御部１０９
２０１  システムでコーダ２０１
２０２  ストリームバッファ２０２
２０３  ストリームバッファ２０３
２０４  ビデオデコーダ２０４
２０５  オーディオデコーダ２０５
２０６  ビデオバッファ２０６
２０７  オーディオバッファ２０７
【図１】
2006050553.tif 000003
【図２】
2006050553.tif 000004
【図３Ａ】
2006050553.tif 000005
【図３Ｂ】
2006050553.tif 000006
【図３Ｃ】
2006050553.tif 000007
【図３Ｄ】
2006050553.tif 000008
【図３Ｅ】
2006050553.tif 000009
【図４Ａ】
2006050553.tif 000010
【図４Ｂ】
2006050553.tif 000011
【図５】
2006050553.tif 000012
【図６】
2006050553.tif 000013
【図７】
2006050553.tif 000014